(57)【特許請求の範囲】
【請求項１】
図柄表示部に停止表示された複数列・複数段の各図柄により現出され得る図柄の図柄組合わせラインを、前記図柄表示部の前側に配設される透視板体に設けた有効ラインで表示するようにした図柄表示装置の有効ライン表示構造であって、
前記透視板体を構成する透明板の外面に、前記図柄表示部に停止表示される前記図柄の組合わせラインに沿って直線状に延設され、複数の反射面で構成されて所定の断面形状に突設された突条部と、
前記透明板における前記突条部の端部が臨む左側端面および右側端面に夫々隣接して該透明板を指向した姿勢で配設され、遊技態様に対応して点灯・消灯制御される光源とからなり、
前記突条部の突出高さは、前記透明板における光源を配設した側端面の近傍では低く、該光源から離間するに従って徐々に高くなって延在方向の中央が最も高く設定され、
前記突条部の各反射面の不透明度は、前記透明板の両側端面の側から中央部に向けて徐々に増大するよう設定され、
前記光源が点灯制御された際に該光源からの照射光が前記突条部の各反射面で反射し、これにより前記透視板体の表面に明輝した該突条部が前記有効ラインとして表示されるよう構成した
ことを特徴とする図柄表示装置の有効ライン表示構造。
【請求項２】
図柄表示部に停止表示された複数列・複数段の各図柄により現出され得る図柄の図柄組合わせラインを、前記図柄表示部の前側に配設される透視板体に設けた有効ラインで表示するようにした図柄表示装置の有効ライン表示構造であって、
前記透視板体を構成する透明板の外面に、前記図柄表示部に停止表示される前記図柄の組合わせラインに沿って直線状に延設され、複数の反射面で構成されて所定の断面形状に突設された突条部と、
前記透明板における前記突条部の端部が臨む左側端面または右側端面の何れかに隣接して該透明板を指向した姿勢で配設され、遊技態様に対応して点灯・消灯制御される光源とからなり、
前記突条部の突出高さは、前記透明板における光源を配設した側端面の近傍では低く、反対側の側端面の側に向けて徐々に高くなるよう設定され、
前記突条部の各反射面の不透明度は、前記透明板における光源を配設した側端面の側から反対側の側端面の側に向けて徐々に増大するよう設定され、
前記光源が点灯制御された際に該光源からの照射光が前記突条部の各反射面で反射し、これにより前記透視板体の表面に明輝した該突条部が前記有効ラインとして表示されるよう構成した
ことを特徴とする図柄表示装置の有効ライン表示構造。
【請求項３】
前記透明板に水平に延設された突条部に対応する前記光源は、前記左側端面または右側端面に対して該突条部の真横に水平状に配設された光源と、該水平状の光源から上下に所要間隔離間して配設されて、該突条部の反射面に対して斜めから光を照射する光源とから構成される請求項１または２記載の図柄表示装置の有効ライン表示構造。
【発明の詳細な説明】
【０００１】
【発明の属する技術分野】
この発明は、図柄表示部に停止表示された複数列・複数段の各図柄により現出され得る図柄の図柄組合わせラインを、前記図柄表示部の前側に略垂直に配設される透視板体に設けた有効ラインで表示するようにした図柄表示装置の有効ライン表示構造に関するものである。
【０００２】
【従来の技術】
パチンコ機、スロットマシンあるいはパチンコ式スロットマシン等の遊技機では、遊技中に発生する毎回の始動および停止を含む変動制御条件に基づいて図柄組合わせゲームを展開し、特別遊技状態に係る権利とされる図柄組合わせ条件を成立表示することのできる遊技装置として、ドラム式図柄表示装置、ベルト式図柄表示装置、液晶式図柄表示装置等の各種形態の図柄表示装置が好適に採用されている。例えば図１３は、ベルト式図柄表示装置を搭載したパチンコ機の遊技盤１０を例示したもので、この遊技盤１０に搭載したベルト式図柄表示装置２０は、図１４に示すように基本的な構成として、１つの本体ケース２１内に複数基(一般的には左列、中列、右列の３基)の図柄表示ユニット２２を並列に収容セットして構成されている。各図柄表示ユニット２２は、駆動基板を兼用するセット板２３に設けた回転駆動手段２４と、この回転駆動手段２４を構成する各プーリ２５ａ,２５ｂ,２５ｃに展張掛装され、フィルム外面に色彩区分された数字、アルファベット文字、その他の図形やマーク等の各種多様な図柄２７を配設した無端状の図柄ベルト２６と、位置決め検出手段２８および照明手段２９等を含めて単一にユニット化されている。そして、３基の図柄表示ユニット２２を並列に収容セットした前記本体ケース２１では、該ケース２１の前側に開口した図柄表示部３０に、夫々の図柄表示ユニット２２における図柄ベルト２６が横並び状に臨んでいる。
【０００３】
このように構成された図柄表示装置２０は、前記遊技盤１０の前面中央に組付けた大型装飾部材１１の裏側に整合するように設置固定することにより、該大型装飾部材１１に開口形成された透視窓部１２に対して前記図柄表示部３０が整合し、前記各図柄ベルト２６の前側帯部分２６ａが該透視窓部１２に臨むようになる。なお前記図柄表示装置２０では、図１５に示すように、各図柄ベルト２６毎に３コマ分の図柄２７が透視窓部１２に臨むように設定されており、これにより透視窓部１２には合計９個(３列×３段)の図柄２７が停止表示されることになる。ここで、透視窓部１２に停止表示された３列×３段で合計９個の各図柄２７により現出される図柄組合わせラインは、▲１▼各列上段に停止した夫々の図柄同士、▲２▼各列中段に停止した夫々の図柄同士、▲３▼各列下段に停止した夫々の図柄同士、▲４▼左列上段、中列中段、右列下段に停止した夫々の図柄同士、▲５▼左列下段、中列中段、右列上段に停止した夫々の図柄同士、の合計５種類となる。
【０００４】
そこで、前述した▲１▼〜▲５▼の各図柄組合わせラインを表示するために、前記大型装飾部材１１の透視窓部１２に装着された透視板体１３に、夫々の図柄組合わせラインに対応した第１〜第５の５本の有効ラインＬ１,Ｌ２,Ｌ３,Ｌ４,Ｌ５が形成されている。
【０００５】
【発明が解決しようとする課題】
ところで、前記透視板体１３に形成した従来の有効ラインＬ１,Ｌ２,Ｌ３,Ｌ４,Ｌ５は、例えば該透視板体１３の表面に対して、適宜色調の塗料により塗装したり、シール等を貼着または蒸着したりして形成するのが一般的であった。しかしながらパチンコ機、スロットマシンあるいはパチンコ式スロットマシンでは、遊技効果や装飾効果の向上を図る目的で前記大型装飾部材１１やその近傍に、多数の装飾ランプ１４や色鮮やかな色調に塗装された装飾部材１５等が配設されているため、前記有効ラインＬ１,Ｌ２,Ｌ３,Ｌ４,Ｌ５が見え難くなって視認性が低いものとなっていた。このためパチンコ機では、図柄変動中においてリーチが発生した際等に図柄組合わせラインの図柄配列が分かり難い問題を内在しており、またスロットマシンやパチンコ式スロットマシンでは、遊技機使用権利媒体としてのコインまたはパチンコ球の投入数に応じて設定される図柄組合わせラインの図柄配列が分かり難い問題を内在していた。
【０００６】
【発明の目的】
本発明は、前述した従来の技術に内在している前記課題に鑑み、これを好適に解決するべく提案されたものであって、透視板体の近傍に配設した光源からの照射光を該透視板体を構成する透明板に設けた突条部の反射面で反射させ、これにより明輝した該突条部で有効ラインを表示することで該有効ラインの視認性を向上させるようにした図柄表示装置の有効ライン表示構造を提供することを目的とする。
【０００７】
【課題を解決するための手段】
前述した課題を克服し、所期の目的を好適に達成するため本発明は、
図柄表示部に停止表示された複数列・複数段の各図柄により現出され得る図柄の図柄組合わせラインを、前記図柄表示部の前側に配設される透視板体に設けた有効ラインで表示するようにした図柄表示装置の有効ライン表示構造であって、
前記透視板体を構成する透明板の外面に、前記図柄表示部に停止表示される前記図柄の組合わせラインに沿って直線状に延設され、複数の反射面で構成されて所定の断面形状に突設された突条部と、
前記透明板における前記突条部の端部が臨む左側端面および右側端面に夫々隣接して該透明板を指向した姿勢で配設され、遊技態様に対応して点灯・消灯制御される光源とからなり、
前記突条部の突出高さは、前記透明板における光源を配設した側端面の近傍では低く、該光源から離間するに従って徐々に高くなって延在方向の中央が最も高く設定され、
前記突条部の各反射面の不透明度は、前記透明板の両側端面の側から中央部に向けて徐々に増大するよう設定され、
前記光源が点灯制御された際に該光源からの照射光が前記突条部の各反射面で反射し、これにより前記透視板体の表面に明輝した該突条部が前記有効ラインとして表示されるよう構成したことを特徴とする。
また前述した課題を克服し、所期の目的を好適に達成するため本願の別の発明は、
図柄表示部に停止表示された複数列・複数段の各図柄により現出され得る図柄の図柄組合わせラインを、前記図柄表示部の前側に配設される透視板体に設けた有効ラインで表示するようにした図柄表示装置の有効ライン表示構造であって、
前記透視板体を構成する透明板の外面に、前記図柄表示部に停止表示される前記図柄の組合わせラインに沿って直線状に延設され、複数の反射面で構成されて所定の断面形状に突設された突条部と、
前記透明板における前記突条部の端部が臨む左側端面または右側端面の何れかに隣接して該透明板を指向した姿勢で配設され、遊技態様に対応して点灯・消灯制御される光源とからなり、
前記突条部の突出高さは、前記透明板における光源を配設した側端面の近傍では低く、反対側の側端面の側に向けて徐々に高くなるよう設定され、
前記突条部の各反射面の不透明度は、前記透明板における光源を配設した側端面の側から反対側の側端面の側に向けて徐々に増大するよう設定され、
前記光源が点灯制御された際に該光源からの照射光が前記突条部の各反射面で反射し、これにより前記透視板体の表面に明輝した該突条部が前記有効ラインとして表示されるよう構成したことを特徴とする。
【０００８】
【作用】
透視板体の近傍に配設した光源からの照射光を、該透視板体を構成する透明板において複数の反射面で構成されて所定の断面形状に突設された突条部の各反射面で反射させ、これにより明輝した該突条部で有効ラインを表示するので、該有効ラインが鮮明に表示されて視認性が向上する。
【０００９】
前記光源を、前記透明板の左側端面および右側端面に隣接して夫々配設した場合は、該透明板の外面に突設した突条部の突出高さを、透明板における光源を配設した側端面の近傍では低く、該光源から離間するに従って徐々に高くして延在方向の中央が最も高く設定すると共に、前記突条部の反射面の不透明度を、両側端面の側から中央部に向けて徐々に増大するよう設定すれば、該突条部全体が略均一的に明輝して有効ラインが鮮明に表示される。
また前記光源を、前記透明板の左側端面または右側端面の何れかに隣接して配設した場合は、該透明板の外面に突設した突条部の突出高さを、透明板における該光源を配設した側端面の近傍では低く、反対側の側端面の側に向けて徐々に高くなるよう設定すると共に、前記突条部の反射面の不透明度を、前記光源を配設した側端面の側から反対側の側端面の側に向けて徐々に増大するよう設定すれば、該突条部全体が略均一的に明輝して有効ラインが鮮明に表示される。
そして前記光源を、上下所要間隔毎に複数個配設すれば、これら光源からの照射光が前記突条部の反射面に対して斜めに照射されるようになり、該照射光が反射面で好適に反射して有効ラインが鮮明に表示される。
【００１０】
【発明の実施の形態】
次に、本発明に係る図柄表示装置の有効ライン表示構造につき、好適な実施例を挙げて、添付図面を参照しながら以下詳細に説明する。なお、図１３〜図１５を参照して従来の技術で説明した既出の部材・部位と同一の部材・部位については、同一の符号を付して説明する。
【００１１】
図１は、本発明の好適な実施形態例に係る図柄表示装置の有効ライン表示構造を示した概略斜視図である。
実施例の有効ライン表示構造は、透視板体３１を構成する後述の透明板３３(３３Ａ〜３３Ｄ)の外面に前記図柄表示部３０に停止表示される前記図柄２７の組合わせラインに沿って延設され、不透明または半透明な複数の反射面３８により所定の断面形状に突設された突条部３５(３５Ａ〜３５Ｅ)と、前記透視板体３１の端面部に隣接した部位に該透視板体３１を指向した姿勢に配設され、遊技態様に対応して点灯・消灯制御される光源３２とから構成されている。すなわち実施例の有効ライン表示構造は、例えばアクリル板やガラス板等からなる透視板体３１の端面に当てた前記光源としてのＬＥＤランプ３２等の照射光が、該透視板体３１の内部を直進したり該透視板体３１と空気との界面で全反射して、最終的に前記端面に対向する対向面側から出るようになる所謂「エッジライト効果」を利用したものである。
【００１２】
前記透視板体３１は、同一サイズの矩形状に成形された複数枚の透明板３３(３３Ａ〜３３Ｄ)を重ね合わせて構成したもので、図１３等に示した前記大型装飾部材１１の透視窓部１２に垂直状態で装着し得るサイズとされている。そして複数列・複数段、具体的には３列×３段で合計９個の前記図柄２７を図柄表示部３０に停止表示する前記図柄表示装置２０では、前述したように、図柄組合わせの成立ラインが合計５種類あることから、前記透明板３３(３３Ａ〜３３Ｄ)に第１〜第５の夫々の有効ラインＬ１,Ｌ２,Ｌ３,Ｌ４,Ｌ５に対応する前記突条部３５(３５Ａ〜３５Ｅ)を形成することで、透視板体３１に各有効ラインＬ１,Ｌ２,Ｌ３,Ｌ４,Ｌ５を表示可能となっている。
【００１３】
(透明板)
前記透明板３３は、透明性や光線拡散性等に優れた既存のアクリル板やガラス板等が採用され、その板厚Ｈが概ね３ｍｍ程度とされ(図５)、該透明板３３の外面である裏面(図柄表示部３０を向く面)３６に前述した突条部３５が形成されている。具体的には、図４に示すように、上段の第１有効ラインＬ１、中段の第２有効ラインＬ２および下段の第３有効ラインＬ３に対応する水平な突条部３５Ａ,３５Ｂ,３５Ｃを夫々形成した第１の透明板３３(３３Ａ)(図４(ａ))、第４および第５の各有効ラインＬ４,Ｌ５に対応する右傾斜の突条部３５Ｄおよび左傾斜の突条部３５Ｅを形成した第２の透明板３３(３３Ｂ)(図４(ｂ))、右下がりに延在する第４有効ラインＬ４に対応する右傾斜の突条部３５Ｄを形成した第３の透明板３３(３３Ｃ)(図４(ｃ))、左下がりに延在する第５有効ラインＬ５に対応する左傾斜の突条部３５Ｅを形成した第４の透明板３３(３３Ｄ)(図４(ｄ))等が実施され得る。従って、図４(ａ)に図示した第１の透明板３３Ａを基本としたもとで、(Ａ)第１の透明板３３Ａに図４(ｂ)に示した第２の透明板３３Ｂを前後に重ね合わせたり、(Ｂ)該第１の透明板３３Ａに図４(ｃ)に示した第３の透明板３３Ｃおよび図４(ｄ)に示した第４の透明板３３Ｄを前後に夫々重ね合わせることで、５本の有効ラインＬ１,Ｌ２,Ｌ３,Ｌ４,Ｌ５を表示可能な前記透視板体３１が構成可能となっている。
【００１４】
(突条部)
前記夫々の突条部３５Ａ〜３５Ｅは、例えば図５に示すように、断面三角形状で直線状に延在し、透明板３３Ａ〜３３Ｄの裏面３６から突出して対向的に傾斜する反射面３８,３８で形成されている。これら反射面３８,３８は所謂磨りガラス状に加工されたもので、巨視的には不透明状または半透明状を呈しているが、微視的には多数の微小面が連接した凹凸形態を呈している。そして、前記水平な突条部３５Ａ,３５Ｂ,３５Ｃ、右傾斜の突条部３５Ｄおよび左傾斜の突条部３５Ｅは、その突出高さが一定ではなく、図６(ａ)に示すように、前記ＬＥＤランプ３２の近傍では低く、該ＬＥＤランプ３２から離間するに従って高くなるように設定されており、ＬＥＤランプ３２からの照射光が反射面３８,３８に対して所要角度で到達して反射され得るように設定されている。ここで、透明板３５の左側端面３９および右側端面４０の両方に隣接してＬＥＤランプ３２,３２を夫々配設した照射形態の場合、前記各突条部３５Ａ,３５Ｂ,３５Ｃ,３５Ｄ,３５Ｅは中央部が最も高くなり、左側端面３９および右側端面４０に向かって徐々に低くなるように設定されている。すなわち、各ＬＥＤランプ３２からの照射光は、対応の突条部３５Ａ〜３５Ｅにおける反射面３８,３８の微小面で反射(乱反射)して透明板３３Ａ〜３３Ｄの表面３７の側へ出光するようになり、当該突条部３５Ａ〜３５Ｅが明輝表示される。
【００１５】
一方、前記各突条部３５Ａ,３５Ｂ,３５Ｃ,３５Ｄ,３５Ｅにおける両反射面３８,３８の不透明度は全長に亘って均一ではなく、後述するように、前記ＬＥＤランプ３２の近傍では不透明度が小さく(透明に近い)、該ＬＥＤランプ３２から離れる程に不透明度が徐々に増大するように設定されている。具体的には、図６(ｂ)に略示する如く、前記ＬＥＤランプ３２を、前記透明板３３(３３Ａ〜３３Ｄ)の左側端面３９および右側端面４０に隣接して夫々配設した照射形態の場合には、前記各突条部３５Ａ,３５Ｂ,３５Ｃ,３５Ｄ,３５Ｅの反射面３８,３８の不透明度を、両側端面３９,４０の側から中央部に向けて徐々に増大するよう設定する。また図７に示すように、前記ＬＥＤランプ３２を、前記透明板３３(３３Ａ〜３３Ｄ)の左側端面３９または右側端面４０の何れかに隣接して配設した照射形態の場合には(図７(ａ)、(ｂ))、前記各突条部３５Ａ,３５Ｂ,３５Ｃ,３５Ｄ,３５Ｅの反射面３８,３８の不透明度を、前記ＬＥＤランプ３２を配設した側端面３９／４０の側から反対側の側端面４０／３９の側に向けて徐々に増大するよう設定する。これにより、前記ＬＥＤランプ３２が点灯制御された際には、該ＬＥＤランプ３２からの照射光により突条部３５Ａ〜３５Ｅ全体が略均一的に明るく輝くようになる。
【００１６】
(光源)
前記光源３２は、前述した如く、前記各透明板３３Ａ〜３３Ｄの板厚と同程度の直径を有し、前方指向性の高い照射光を発光する公知のＬＥＤランプが好適に採用され、小型ながらも各突条部３５Ａ,３５Ｂ,３５Ｃ,３５Ｄ,３５Ｅの反射面３８,３８を好適に照射可能となっている。この光源としてのＬＥＤランプ３２は、前記透明板３３(３３Ａ〜３３Ｄ)の左側端面３９および／または右側端面４０に対して上下所要間隔毎に複数個配設されると共に、対応の突条部３５Ａ〜３５Ｅの延在方向に沿う向きに角度調整されており、これらＬＥＤランプ３２からの照射光が前記各突条部３５Ａ,３５Ｂ,３５Ｃ,３５Ｄ,３５Ｅの反射面３８,３８に対して所要角度で到達するように設定されている。また各ＬＥＤランプ３２は、図示しないランプ制御部により、夫々が個別に点灯・消灯制御され得るようになっている。更にＬＥＤランプ３２は、赤色、青色、緑色、黄色、白色、橙色等の種々の発光色のものが採用可能である。
【００１７】
次に、前述のような各構成部材からなる実施例の図柄表示装置の有効ライン表示構造につき、具体的な形態例をもとに説明する。
【００１８】
【第１実施形態例】
図１は、第１実施形態例に係る図柄表示装置の有効ライン表示構造を示した概略斜視図であって、この第１実施形態例では、図２に示すように、図４(ａ)に図示した第１の透明板３３Ａと、図４(ｂ)に示した第２の透明板３３Ｂを前後に重ね合わせ、２枚の透明板３３Ａ,３３Ｂで前記透視板体３１を構成したタイプである。前述したように第１の透明板３３Ａには、第１、第２および第３の各有効ラインＬ１,Ｌ２,Ｌ３に対応する各水平な突条部３５Ａ,３５Ｂ,３５Ｃが形成され、また第２の透明板３３Ｂには、第４および第５の各有効ラインＬ４,Ｌ５に対応する右傾斜の突条部３５Ｄおよび左傾斜の突条部３５Ｅが形成してあるから、２枚の透明板３３Ａ,３３Ｂを前後に重ね合わせるだけで、５本の各有効ラインＬ１,Ｌ２,Ｌ３,Ｌ４,Ｌ５に対応する５本の突条部３５Ａ,３５Ｂ,３５Ｃ,３５Ｄ,３５Ｅを設けた透視板体３１が構成される。
【００１９】
また、前記第１の透明板３３Ａおよび第２の透明板３３Ｂにおける左側端面３９および右側端面４０に隣接した部位に、夫々の透明板３３Ａ,３３Ｂを指向した姿勢の前記ＬＥＤランプ３２(３２ａ〜３２ｊ)が、上下所要間隔毎に配設されている。具体的に第１の透明板３３Ａでは、左右上段に水平状に配設された各ＬＥＤランプ３２ａ,３２ｂが第１有効ラインＬ１に対応する前記水平な突条部３５Ａに整合して該突条部３５Ａを照射し、左右中段に水平状に配設された各ＬＥＤランプ３２ｃ,３２ｄが第２有効ラインＬ２に対応する前記水平な突条部３５Ｂに整合して該突条部３５Ｂを照射し、左右下段に水平状に配設された各ＬＥＤランプ３２ｅ,３２ｆが第３有効ラインＬ３に対応する前記水平な突条部３５Ｃに整合して該突条部３５Ｃを照射する。一方第２の透明板３３Ｂでは、左上段に右下がり傾斜状に配設されたＬＥＤランプ３２ｇおよび右下段に左上がり傾斜状に配設されたＬＥＤランプ３２ｈが、第４有効ラインＬ４に対応する前記右傾斜の突条部３５Ｄを照射し、右上段に左下がり傾斜状に配設されたＬＥＤランプ３２ｉおよび左下段に右上がり傾斜状に配設されたＬＥＤランプ３２ｊが、第５有効ラインＬ５に対応する前記左傾斜の突条部３５Ｅを照射する。なお、透明板３３Ａ,３３Ｂの左右両側にＬＥＤランプ３２(３２ａ〜３２ｊ)が配設されていることに伴い、図６に示すと共に前述したように、前記各突条部３５Ａ,３５Ｂ,３５Ｃ,３５Ｄ,３５Ｅにおける反射面３８,３８の不透明度は、図６(ｂ)に示すように、両側端面３９,４０の側から中央部に向けて徐々に増大するよう設定してある。
【００２０】
このように構成された第１実施形態例に係る図柄表示装置の有効ライン表示構造では、当該図柄表示装置２０が搭載されたパチンコ機やスロットマシン等の遊技態様に応じて、図示しないランプ制御部が前記各ＬＥＤランプ３２(３２ａ〜３２ｊ)を個別に点灯・消灯制御し、これらＬＥＤランプ３２ａ〜３２ｊが点灯制御された際には該ＬＥＤランプ３２ａ〜３２ｊからの照射光が対応の突条部３５Ａ,３５Ｂ,３５Ｃ,３５Ｄ,３５Ｅの反射面３８,３８で反射し、これにより明輝した該突条部３５Ａ,３５Ｂ,３５Ｃ,３５Ｄ,３５Ｅが前記透視板体３１の表面３７に有効ラインＬ１,Ｌ２,Ｌ３,Ｌ４,Ｌ５として表示される。例えば、前記ＬＥＤランプ３２ａ,３２ｂが点灯制御された際には水平な突条部３５Ａが明輝して第１有効ラインＬ１が鮮明に表示され、前記ＬＥＤランプ３２ｃ,３２ｄが点灯制御された際には水平な突条部３５Ｂが明輝して第２有効ラインＬ２が鮮明に表示されると共に、前記ＬＥＤランプ３２ｅ,３２ｆが点灯制御された際には水平な突条部３５Ｃが明輝して第３有効ラインＬ３が鮮明に表示される。また前記ＬＥＤランプ３２ｇ,３２ｈが点灯制御された際には右傾斜の突条部３５Ｄが明輝して第４有効ラインＬ４が鮮明に表示され、前記ＬＥＤランプ３２ｉ,３２ｊが点灯制御された際には左傾斜の突条部３５Ｅが明輝して第５有効ラインＬ５が鮮明に表示される。
【００２１】
そして第１実施形態例の有効ライン表示構造では、第１および第２の合計２枚の透明板３３Ａ,３３Ｂを重ね合わせることで、合計５本の各有効ラインＬ１,Ｌ２,Ｌ３,Ｌ４,Ｌ５を表示することが可能である。従って、各透明板毎に１つの有効ラインを設ける場合(５本の有効ラインＬ１〜Ｌ５を設ける場合は５枚の透明板３３が必要)と比較すると、透視板体３１の厚みを格段に小さく抑えることができるから(図３)、図柄表示部３０に停止表示される各図柄２７が歪んで見える等の透視弊害を生ずることがなく、また部材点数の増加に伴うコストアップを招来することもない。しかも、各突条部３５Ａ,３５Ｂ,３５Ｃ,３５Ｄ,３５Ｅ全体が略均一的に明輝するので、夫々に対応した各有効ラインＬ１,Ｌ２,Ｌ３,Ｌ４,Ｌ５が鮮明に表示される。
【００２２】
【第２実施形態例】
図８は、第２実施形態例に係る図柄表示装置の有効ライン表示構造を示した概略斜視図であって、この第２実施形態例では、図９に示すように、図４(ａ)に図示した第１の透明板３３Ａと、図４(ｃ)に図示した第３の透明板３３Ｃと、図４(ｄ)に図示した第４の透明板３３Ｄとを前後に重ね合わせ、３枚の透明板３３Ａ,３３Ｃ,３３Ｄで前記透視板体３１を構成したタイプである。前述したように第１の透明板３３Ａには、第１、第２および第３の各有効ラインＬ１,Ｌ２,Ｌ３に対応する各水平な突条部３５Ａ,３５Ｂ,３５Ｃを形成してあり、また第３の透明板３３Ｃには、第４有効ラインＬ４に対応する右傾斜の突条部３５Ｄが形成してあると共に、第４の透明板３３Ｄには、第５有効ラインＬ５に対応する左傾斜の突条部３５Ｅが形成してあるから、３枚の各透明板３３Ａ,３３Ｃ,３３Ｄを前後に重ね合わせるだけで、５本の各有効ラインＬ１,Ｌ２,Ｌ３,Ｌ４,Ｌ５に対応する５本の突条部３５Ａ,３５Ｂ,３５Ｃ,３５Ｄ,３５Ｅを設けた透視板体３１が構成される。
【００２３】
また、前記第１、第３および第４の各透明板３３Ａ,３３Ｃ,３３Ｄにおける左側端面３９および右側端面４０に隣接した部位に、夫々の透明板３３Ａ,３３Ｃ,３３Ｄを指向した姿勢の前記ＬＥＤランプ３２(３２ａ〜３３ｊ)が、上下所要間隔毎に配設されている。具体的に第１の透明板３３Ａでは、左右上段に水平状に配設された各ＬＥＤランプ３２ａ,３２ｂが第１有効ラインＬ１に対応する前記水平な突条部３５Ａに整合して該突条部３５Ａを照射し、左右中段に水平状に配設された各ＬＥＤランプ３２ｃ,３２ｄが第２有効ラインＬ２に対応する前記水平な突条部３５Ｂに整合して該突条部３５Ｂを照射し、左右下段に水平状に配設された各ＬＥＤランプ３２ｅ,３２ｆが第３有効ラインＬ３に対応する前記水平な突条部３５Ｃに整合して該突条部３５Ｃを照射する。一方第３の透明板３３Ｃでは、左上段に右下がり傾斜状に配設されたＬＥＤランプ３２ｇおよび右下段に左上がり傾斜状に配設されたＬＥＤランプ３２ｈが、第４有効ラインＬ４に対応する前記右傾斜の突条部３５Ｄを照射し、更に第４の透明板３３Ｄでは、右上段に左下がり傾斜状に配設されたＬＥＤランプ３２ｉおよび左下段に右上がり傾斜状に配設されたＬＥＤランプ３２ｊが、第５有効ラインＬ５に対応する前記左傾斜の突条部３５Ｅを照射する。なお、各透明板３３Ａ,３３Ｃ,３３Ｄの左右両側にＬＥＤランプ３２(３２ａ〜３２ｊ)が配設されていることに伴い、図６に示すと共に前述したように、前記各突条部３５Ａ,３５Ｂ,３５Ｃ,３５Ｄ,３５Ｅにおける反射面３８,３８の不透明度は、図６(ｂ)に示すように、両側端面３９,４０の側から中央部に向けて徐々に増大するよう設定してある。
【００２４】
このように構成された第２実施形態例に係る図柄表示装置の有効ライン表示構造では、当該図柄表示装置２０が搭載されたパチンコ機やスロットマシン等の遊技態様に応じて、図示しないランプ制御部が前記各ＬＥＤランプ３２(３２ａ〜３２ｊ)を個別に点灯・消灯制御し、これらＬＥＤランプ３２ａ〜３２ｊが点灯制御された際には該ＬＥＤランプ３２ａ〜３２ｊからの照射光が対応の突条部３５Ａ,３５Ｂ,３５Ｃ,３５Ｄ,３５Ｅの反射面３８,３８で反射し、これにより明輝した該突条部３５Ａ,３５Ｂ,３５Ｃ,３５Ｄ,３５Ｅが前記透視板体３１の表面３７に有効ラインＬ１,Ｌ２,Ｌ３,Ｌ４,Ｌ５として表示される。例えば、前記ＬＥＤランプ３２ａ,３２ｂが点灯制御された際には水平な突条部３５Ａが明輝して第１有効ラインＬ１が鮮明に表示され、前記ＬＥＤランプ３２ｃ,３２ｄが点灯制御された際には水平な突条部３５Ｂが明輝して第２有効ラインＬ２が鮮明に表示されると共に、前記ＬＥＤランプ３２ｅ,３２ｆが点灯制御された際には水平な突条部３５Ｃが明輝して第３有効ラインＬ３が鮮明に表示される。また前記ＬＥＤランプ３２ｇ,３２ｈが点灯制御された際には右傾斜の突条部３５Ｄが明輝して第４有効ラインＬ４が鮮明に表示され、前記ＬＥＤランプ３２ｉ,３２ｊが点灯制御された際には左傾斜の突条部３５Ｅが明輝して第５有効ラインＬ５が鮮明に表示される。
【００２５】
そして第２実施形態例の有効ライン表示構造では、第１、第３および第４の合計３枚の透明板３３Ａ,３３Ｃ,３３Ｄを重ね合わせることで、合計５本の各有効ラインＬ１,Ｌ２,Ｌ３,Ｌ４,Ｌ５を表示することが可能である。従って、各透明板毎に１つの有効ラインを設ける場合(５本の有効ラインＬ１〜Ｌ５を設ける場合は５枚の透明板３３が必要)と比較すると、透視板体３１の厚みをかなり小さく抑えることができるから、図柄表示部３０に停止表示される各図柄２７が歪んで見える等の透視弊害を生ずることがなく、また部材点数の増加に伴うコストアップを招来することもない。更に右傾斜の突条部３５Ｄと左傾斜の突条部３５Ｅとは、第３の透明板３３Ｃおよび第４の透明板３３Ｄに別々に形成されてクロスしないと共に別々のＬＥＤランプ３２で照射されるから、夫々が鮮明に明輝されて第４有効ラインＬ４と第５有効ラインＬ５とが適切かつ鮮明に区分表示される。しかも、各突条部３５Ａ,３５Ｂ,３５Ｃ,３５Ｄ,３５Ｅ全体が略均一的に明輝するので、夫々に対応した各有効ラインＬ１,Ｌ２,Ｌ３,Ｌ４,Ｌ５が鮮明に表示される。
【００２６】
【変更例】
なお、前記有効ラインＬ１〜Ｌ５に対応した各突条部３５Ａ,３５Ｂ,３５Ｃ,３５Ｄ,３５ＥをＬＥＤランプ３２で照射する態様は、前記第１実施形態例および第２実施形態例に示したものに限定されるものではない。例えば図１０は、第１実施形態例の変更例を示すもので、前記第１の透明板３３Ａおよび第２の透明板３３Ｂにおける左側端面３９および右側端面４０に隣接した部位に、夫々の透明板３３Ａ,３３Ｂを指向した姿勢の前記ＬＥＤランプ３２(３２ａ〜３２ｌ)を、上下所要間隔毎に３段に配設したものである。具体的に第１の透明板３３Ａでは、左右上段に水平状に配設された各ＬＥＤランプ３２ａ,３２ｂが第１有効ラインＬ１に対応する前記水平な突条部３５Ａに整合して該突条部３５Ａを照射し、左右中段に水平状に配設された各ＬＥＤランプ３２ｃ,３２ｄが第２有効ラインＬ２に対応する前記水平な突条部３５Ｂに整合して該突条部３５Ｂを照射し、左右下段に水平状に配設された各ＬＥＤランプ３２ｅ,３２ｆが第３有効ラインＬ３に対応する前記水平な突条部３５Ｃに整合して該突条部３５Ｃを照射する。一方、第２の透明板３３Ｂでは、左上段に水平状に配設されたＬＥＤランプ３２ｇ、左中段に水平状に配設されたＬＥＤランプ３２ｉおよび右下段に水平状に配設されたＬＥＤランプ３２ｌが、第４有効ラインＬ４に対応する前記右傾斜の突条部３５Ｄを照射し、右上段に水平状に配設されたＬＥＤランプ３２ｈ、右中段に水平状に配設されたＬＥＤランプ３２ｊおよび左下段に水平状に配設されたＬＥＤランプ３２ｋが、第５有効ラインＬ５に対応する前記左傾斜の突条部３５Ｅを照射するようになっている。
【００２７】
一方、図１１は、第２実施形態例の変更例を示すもので、前記第１、第３および第４の各透明板３３Ａ,３３Ｃ,３３Ｄにおける左側端面３９および右側端面４０に隣接した部位に、夫々の透明板３３Ａ,３３Ｃ,３３Ｄを指向した姿勢の前記ＬＥＤランプ３２(３２ａ〜３３ｒ)を、上下所要間隔毎に３段に配設したものである。具体的に第１の透明板３３Ａでは、左右上段に水平状に配設された各ＬＥＤランプ３２ａ,３２ｂが第１有効ラインＬ１に対応する前記水平な突条部３５Ａに整合して該突条部３５Ａを照射し、左右中段に水平状に配設された各ＬＥＤランプ３２ｃ,３２ｄが第２有効ラインＬ２に対応する前記水平な突条部３５Ｂに整合して該突条部３５Ｂを照射し、左右下段に水平状に配設された各ＬＥＤランプ３２ｅ,３２ｆが第３有効ラインＬ３に対応する前記水平な突条部３５Ｃに整合して該突条部３５Ｃを照射する。一方第３の透明板３３Ｃでは、左右上段、左右中段、左右下段に夫々水平状に配設された各ＬＥＤランプ３２ｇ,３２ｈ,３２ｉ,３２ｊ,３２ｋ,３２ｌが、第４有効ラインＬ４に対応する前記右傾斜の突条部３５Ｄを照射し、更に第４の透明板３３Ｄでは、左右上段、左右中段、左右下段に夫々水平状に配設された各ＬＥＤランプ３２ｍ,３２ｎ,３２ｏ,３２ｐ,３２ｑ,３２ｒが、第５有効ラインＬ５に対応する前記左傾斜の突条部３５Ｅを照射するようになっている。
【００２８】
なお、前記各ＬＥＤランプ３２で対応の突条部３５Ａ,３５Ｂ,３５Ｃ,３５Ｄ,３５Ｅを照射することにより第１〜第５の有効ラインＬ１,Ｌ２,Ｌ３,Ｌ４,Ｌ５を表示するタイミングや態様等は、パチンコ機、スロットマシンあるいはパチンコ式スロットマシンの遊技態様に依存するものであって各遊技機毎に異なっている。例えばパチンコ機では、図柄変動遊技中にリーチ状態となった際に、前記複数のＬＥＤランプ３２を自動的に選択して点灯制御することで、特定の図柄組合わせが成立する可能性のある図柄配列を有効ラインＬ１,Ｌ２,Ｌ３,Ｌ４,Ｌ５で好適に表示することが可能である。また、スロットマシンあるいはパチンコ式スロットマシンでは、遊技機使用権利媒体であるコインやパチンコ球の投入数量に応じて、前記複数のＬＥＤランプ３２を自動的に選択して点灯制御することで、表示する有効ラインＬ１,Ｌ２,Ｌ３,Ｌ４,Ｌ５の数を選択し得る。
【００２９】
また、前述した第１実施形態例、第２実施形態例および夫々の変更例における各有効ライン表示構造では、複数個のＬＥＤランプ３２(３２ａ〜３２ｊ／３２ａ〜３２ｌ／３２ａ〜３２ｒ)を使用して各有効ラインＬ１,Ｌ２,Ｌ３,Ｌ４,Ｌ５を表示するものであるから、夫々のＬＥＤランプ３２の点灯タイミングや点灯時間等を変化させることにより、例えば光が有効ラインＬ１,Ｌ２,Ｌ３,Ｌ４,Ｌ５上を移動する如く見えるようにしたり、点滅して見えるようにする等の多様なライン表示が可能となる。また、複数の異なる発光色に設定されるＬＥＤランプ３２を使用すれば、有効ラインＬ１,Ｌ２,Ｌ３,Ｌ４,Ｌ５のカラー識別表示も可能となる。
【００３０】
また、前記第１実施形態例、第２実施形態例および夫々の変更例では、各透明板３３(３３Ａ,３３Ｂ,３３Ｃ,３３Ｄ)の左側端面３９および右側端面４０の近傍にＬＥＤランプ３２を配設した場合を例示したが、前述したように、左側端面３９または右側端面４０の何れかにＬＥＤランプ３２を配設するようにしてもよい。
【００３１】
更に、前記第１実施形態例、第２実施形態例および夫々の変更例では、第１透明板３３Ａにおける水平な突条部３５Ａ,３５Ｂ,３５Ｃを照射するためのＬＥＤランプ３２(３２ａ〜３２ｆ)を、対応の水平な突条部３５Ａ,３５Ｂ,３５Ｃの真横に水平状に配設して照射する場合を例示したが、例えば図１２に示すように、対応の水平な突条部３５Ａ,３５Ｂ,３５Ｃに対して上下に所要量オフセットした位置に、傾斜状態にＬＥＤランプ３２を追加配設するようにしてもよい。このように各ＬＥＤランプ３２を追加配設した場合は、追加したＬＥＤランプ３２からの照射光が対応の水平な突条部３５Ａ,３５Ｂ,３５Ｃの反射面３８に対して所要角度で到達するようになり、この場合でも該突条部３５Ａ,３５Ｂ,３５Ｃを適切に明輝させることが可能である。
【００３２】
前記各突条部３５Ａ,３５Ｂ,３５Ｃ,３５Ｄ,３５Ｅは、実施例に示した断面三角形状に限定されるものではなく、ＬＥＤランプ３２からの照射光を適切に反射し得るものであれば、例えば断面角形あるいはＵ字状等、各種の形状を採用し得るものである。また実施例では、断面三角形状の突条部３５Ａ,３５Ｂ,３５Ｃ,３５Ｄ,３５Ｅの対向的に傾斜する２つの面を反射面３８とした場合で説明したが、当該突条部３５Ａ,３５Ｂ,３５Ｃ,３５Ｄ,３５Ｅにおける透明板３３Ａ,３３Ｂ,３３Ｃ,３３Ｄの板面と平行な面を、不透明または半透明の反射面３８とすることもできる。この場合は３つの面が反射面３８となり、突条部３５Ａ,３５Ｂ,３５Ｃ,３５Ｄ,３５Ｅをより鮮明に輝かせることができる。すなわち、突条部に関しては、その形成面の全てを反射面とすることが可能であり、例えば透明板に形成した溝により反射面を形成する場合に比べて反射面の数を多くすることができる。従って、突条部の断面形状を多角形とすることで、反射面がより多くなって更に鮮明に輝かせ得る。
【００３３】
なお前記実施例では、透視板体３１に５本の有効ラインＬ１,Ｌ２,Ｌ３,Ｌ４,Ｌ５を設けることを前提に説明したが、該透視板体３１に４本以下または６本以上の有効ラインを設けることも可能である。何れの場合でも、最小枚数の透明板を使用することで全ての有効ラインを好適に表示することが可能となる。
【００３４】
また前記実施例では、ベルト式図柄表示装置を例示したが、本願の有効ライン表示構造が対象とする図柄表示装置は、前述したドラム式図柄表示装置および液晶式図柄表示装置等も含まれることは勿論である。
【００３５】
【発明の効果】
以上説明した如く、本発明に係る図柄表示装置の有効ライン表示構造によれば、透視板体の近傍に配設した光源からの照射光を、該透視板体を構成する透明板に設けた突条部の反射面で反射させ、これにより明輝した該突条部で有効ラインを表示するようにしたから、有効ラインが鮮明に表示されて視認性が向上するようになる利点がある。
【００３６】
前記光源を、前記透明板の左側端面および右側端面に隣接して夫々配設した場合は、該透明板の外面に突設した突条部の突出高さを、透明板における光源を配設した側端面の近傍では低く、該光源から離間するに従って徐々に高くして延在方向の中央が最も高く設定すると共に、前記突条部の反射面の不透明度を、両側端面の側から中央部に向けて徐々に増大するよう設定すれば、該突条部全体が均一的に明輝して有効ラインが鮮明に表示され得る利点がある。
また前記光源を、前記透明板の左側端面または右側端面の何れかに隣接して配設した場合は、該透明板の外面に突設した突条部の突出高さを、透明板における該光源を配設した側端面の近傍では低く、反対側の側端面の側に向けて徐々に高くなるよう設定すると共に、前記突条部の反射面の不透明度を、前記光源を配設した側端面の側から反対側の側端面の側に向けて徐々に増大するよう設定すれば、該突条部全体が均一的に明輝して有効ラインが鮮明に表示され得る利点がある。
そして前記光源を、上下所要間隔毎に複数個配設すれば、これら光源からの照射光が前記突条部の反射面に対して斜めに照射されるようになり、該照射光が反射面で好適に反射して有効ラインが鮮明に表示される。
【図面の簡単な説明】
【図１】本発明の第１実施形態例に係る図柄表示装置の有効ライン表示構造を示す概略斜視図である。
【図２】第１の透明板および第２の透明板を前後に重ね合わせることで、図１に示した透視板体を形成する状態を示す斜視図である。
【図３】図１に示した有効ライン表示構造を実施した図柄表示装置を、大型装飾部品を取付けた遊技盤の裏側に搭載した状態で示す側断面図である。
【図４】透視板体を構成する各透明板の形態を示す概略斜視図であって、(ａ)は３本の水平な突条部を形成した第１の透明板を例示し、(ｂ)は右傾斜の突条部および左傾斜の突条部を形成した第２の透明板を例示し、(ｃ)は右傾斜の突条部を形成した第３の透明板を例示し、(ｄ)は左傾斜の突条部を形成した第４の透明板を例示している。
【図５】透明板の両側端面に配設したＬＥＤランプからの照射光が突条部を形成する反射面で反射して該透明板の表面側へ出光することで、該突条部が明輝して有効ラインを表示する態様を示す説明断面図である。
【図６】  (ａ)は、透明板の左側端面および右側端面に隣接してＬＥＤランプを夫々配設した場合、突条部においては、両側端面の側から中央部に向けて徐々に高くなるように設定することで、ＬＥＤランプからの照射光が反射面に対して所要角度で到達して反射され易くなることを示した説明断面図であり、
(ｂ)は、透明板の左側端面および右側端面に隣接してＬＥＤランプを夫々配設した場合、突条部を形成する反射面の不透明度を、両側端面の側から中央部に向けて徐々に増大するよう設定することで、該突条部全体が均一的に明輝されることを示す説明断面図である。
【図７】透明板の左側端面または右側端面の何れかにＬＥＤランプを配設した場合、突条部を形成する反射面の不透明度を、該ＬＥＤランプを配設した側端面の側から反対側の側端面の側に向けて徐々に増大するよう設定することで、該突条部全体が略均一的に明輝されることを示す説明断面図であって、(ａ)はＬＥＤランプを透明板の左側端面に隣接して配設した場合を例示し、(ｂ)はＬＥＤランプを透明板の右側端面に隣接して配設した場合を例示している。
【図８】本発明の第２実施形態例に係る図柄表示装置の有効ライン表示構造を示す概略斜視図である。
【図９】第１の透明板、第３の透明板および第４の透明板を前後に重ね合わせることで、図８に示した透視板体を形成する状態を示す斜視図である。
【図１０】第１実施例形態例の変更例に係る図柄表示装置の有効ライン表示構造を示す概略斜視図である。
【図１１】第２実施例形態例の変更例に係る図柄表示装置の有効ライン表示構造を示す概略斜視図である。
【図１２】突条部に対して上下にオフセットした位置にＬＥＤランプを配設することで、該ＬＥＤランプからの照射光が該突条部に対して所要角度で到達するようにした照射態様を示す概略斜視図である。
【図１３】図柄表示装置を裏側に設置したパチンコ機の遊技盤を示す正面図である。
【図１４】図１３に示した遊技盤を、図柄表示装置の設置部位で破断した側断面図である。
【図１５】３列×３段で合計９個の図柄を図柄表示部に停止表示する図柄表示装置の場合に、特定の図柄組合わせが成立可能な有効ラインを、大型装飾部品の透視窓部に配設した透視板体に形成した状態を示す説明図である。
【符号の説明】
２７  図柄
３０  図柄表示部
３１  透視板体
３２(３２ａ〜３２ｒ)  ＬＥＤランプ(光源)
３３Ａ  第１の透明板
３３Ｂ  第２の透明板
３３Ｃ  第３の透明板
３３Ｄ  第４の透明板
３５Ａ  水平な突条部
３５Ｂ  水平な突条部
３５Ｃ  水平な突条部
３５Ｄ  右傾斜の突条部
３５Ｅ  左傾斜の突条部
３８  反射面
３９  左側端面
４０  右側端面
Ｌ１  第１有効ライン
Ｌ２  第２有効ライン
Ｌ３  第３有効ライン
Ｌ４  第４有効ライン
Ｌ５  第５有効ライン
【図１】
0004707900.tif 000002
【図２】
0004707900.tif 000003
【図３】
0004707900.tif 000004
【図４】
0004707900.tif 000005
【図５】
0004707900.tif 000006
【図６】
0004707900.tif 000007
【図７】
0004707900.tif 000008
【図８】
0004707900.tif 000009
【図９】
0004707900.tif 000010
【図１０】
0004707900.tif 000011
【図１１】
0004707900.tif 000012
【図１２】
0004707900.tif 000013
【図１３】
0004707900.tif 000014
【図１４】
0004707900.tif 000015
【図１５】
0004707900.tif 000016